(57)【要約】【課題】箱を組み立てた際の係合が外れることを抑えることによって、収容された物品が汚損することを抑制することを可能にする箱およびブランクを提供する。【解決手段】本発明は、底板１１と、前記底板１１の第１縁辺Ｌ１１から起立した第１側板２１１と、前記底板１１の前記第１縁辺Ｌ１１と交差する第２縁辺Ｌ２１から起立した第２側板２２１と、前記第２側板２２１の先縁から前記底板１１に向けて折り曲げられ、前記第２側板２２１の内側に配置された内板３１１と、前記内板３１１の側縁Ｌ４１１から延び、前記第１側板２１１の内側に重なるように配置された補強片４１１とを備える。【選択図】図１
2020147371.tif 000002
【特許請求の範囲】
【請求項１】
底板と、
前記底板の第１縁辺から起立した第１側板と、
前記底板の前記第１縁辺と交差する第２縁辺から起立した第２側板と、
前記第２側板の先縁から前記底板に向けて折り曲げられ、前記第２側板の内側に配置された内板と、
前記内板の側縁から延び、前記第１側板の内側に重なるように配置された補強片と
を備えることを特徴とする箱。
【請求項２】
前記第２側板の側縁から延び、前記第１側板を挟んで固定するように配置される外側挟持板および内側挟持板を有する挟持部をさらに備えることを特徴とする請求項１に記載の箱。
【請求項３】
前記挟持部は、前記補強片をさらに挟むように配置されていることを特徴とする請求項２に記載の箱。
【請求項４】
前記底板には、前記第１縁辺に近接して、係合穴が設けられ、
前記内側挟持板の先縁には、前記係合穴に嵌合することが可能な係合突起が設けられることを特徴とする請求項２または請求項３に記載の箱。
【請求項５】
前記係合穴は、前記第１縁辺および前記第２縁辺に交差する方向に沿って延びるように配置されていることを特徴とする請求項４に記載の箱。
【請求項６】
前記内板の両側縁のうち前記内板の先縁側の部分には、嵌合用切り欠きが設けられ、
前記内側挟持板の先縁には、前記嵌合用切り欠きに嵌合することが可能な嵌合突起が設けられることを特徴とする請求項２から請求項５のいずれか一項に記載の箱。
【請求項７】
前記第１側板は、前記箱の内側に向くように前記底板の前記第１縁辺から斜めに起立していることを特徴とする請求項１から請求項６のいずれか一項に記載の箱。
【請求項８】
前記第１縁辺の長さが前記第２縁辺の長さよりも短いことを特徴とする請求項１から請求項７のいずれか一項に記載の箱。
【請求項９】
請求項１に記載の箱のブランクであって、
相互に平行な第１折り曲げ線および第３折り曲げ線と、前記第１折り曲げ線と直交する相互に平行な第２折り曲げ線および第４折り曲げ線と、を有する矩形の底板と、
前記底板に前記第１折り曲げ線を介して接続される第１側板と、
前記第２折り曲げ線と平行な第５折り曲げ線を有し、前記底板に前記第２折り曲げ線を介して接続される第２側板と、
前記底板に前記第３折り曲げ線を介して接続される第３側板と、
前記第４折り曲げ線と平行な第６折り曲げ線を有し、前記底板に前記第４折り曲げ線を介して接続される第４側板と、
前記第５折り曲げ線と平行な第７折り曲げ線を有し、前記第２側板に前記第５折り曲げ線を介して接続される第１連結縁板と、
前記第６折り曲げ線と平行な第８折り曲げ線を有し、前記第４側板に前記第６折り曲げ線を介して接続される第２連結縁板と、
前記第７折り曲げ線と直交する相互に平行な第９折り曲げ線および第１０折り曲げ線を有し、前記第１連結縁板に前記第７折り曲げ線を介して接続される第１内板と、
前記第８折り曲げ線と直交する相互に平行な第１１折り曲げ線および第１２折り曲げ線を有し、前記第２連結縁板に前記第８折り曲げ線を介して接続される第２内板と、
前記第１内板に前記第９折り曲げ線および前記第１０折り曲げ線を介してそれぞれ接続される第１補強片および第２補強片と、
前記第２内板に前記第１１折り曲げ線および前記第１２折り曲げ線を介してそれぞれ接続される第３補強片および第４補強片と
を備えることを特徴とする箱のブランク。
【請求項１０】
前記第２折り曲げ線と直交する第１７折り曲げ線および前記第２折り曲げ線と平行な第１８折り曲げ線を有し、前記第２側板に前記第１７折り曲げ線を介して接続される外側挟持板と、
前記第１８折り曲げ線と並列している第１９折り曲げ線を有し、前記外側挟持板に前記第１８折り曲げ線を介して接続される挟持縁板と、
前記挟持縁板に前記第１９折り曲げ線を介して接続される内側挟持板と
をさらに備えることを特徴とする請求項９に記載の箱のブランク。
【請求項１１】
前記底板には、前記第１折り曲げ線に近接して、係合穴が設けられ、
前記内側挟持板の先縁には、前記係合穴に嵌合することが可能な係合突起が設けられることを特徴とする請求項１０に記載の箱のブランク。
【請求項１２】
前記第１９折り曲げ線は、前記第１内板側から前記箱のブランクの外側縁に向かって、前記第１８折り曲げ線と前記第１９折り曲げ線との間隔が短くなるように、形成されており、
前記係合穴は、前記第１折り曲げ線および前記第２折り曲げ線に交差する方向に沿って延びるように配置されていることを特徴とする請求項１１に記載の箱のブランク。
【請求項１３】
前記内板の両側縁のうち前記内板の先縁側の部分には、嵌合用切り欠きが設けられ、
前記内側挟持板の先縁には、前記嵌合用切り欠きに嵌合することが可能な嵌合突起が設けられることを特徴とする請求項１０から請求項１２のいずれか一項に記載の箱のブランク。
【請求項１４】
前記箱が組み立てられた状態において、前記第１側板および前記第３側板はそれぞれ、前記箱の内側に向くように前記底板の前記第１折り曲げ線および前記第３折り曲げ線から斜めに起立していることを特徴とする請求項９から請求項１３のいずれか一項に記載の箱のブランク。
【請求項１５】
前記第１折り曲げ線の長さが前記第２折り曲げ線の長さよりも短いことを特徴とする請求項９から請求項１４のいずれか一項に記載の箱のブランク。
【発明の詳細な説明】
【技術分野】
【０００１】
本発明は、組み立てた際の係合が外れることを抑制するための箱およびブランクに関する。
【背景技術】
【０００２】
従来、青果物（例えばトマト）等の物品を収容して運搬するときには、汚れたり傷ついたりしないように、また、そのまま店頭に置いて陳列できるように、段ボール製の箱（例えば、トレー）が広く利用されている。当該トレーの側面には、強度を有する構成が採用されうる。
【０００３】
そこで、例えば、２層の側面を有するトレーが特許文献１および特許文献２に記載されている。
【０００４】
また、２層の側面のうち外板に対する内板の移動を抑制するために、移動抑制板を外板と内板との間に配置したトレーが特許文献３に記載されている。
【先行技術文献】
【特許文献】
【０００５】
【特許文献１】実開昭５０−０１９８４６号公報
【特許文献２】実公平０７−０１４１８０号公報
【特許文献３】特開２０１８−１３８４６９号公報
【発明の概要】
【発明が解決しようとする課題】
【０００６】
ところで、トレーは積み重ねて使用されることが多いところ、特許文献１から特許文献３に記載のトレーでは、上に積み重なったトレーの重さで、下に位置するトレーの組み立てるための係合が外れる可能性について考慮されていなかった。よって、トレーの組み立て状態が解除され、収容された物品が保護されずに汚損するおそれがあった。
【０００７】
本発明の目的は、箱を組み立てた際の係合が外れることを抑えることによって、収容された物品が汚損することを抑制することを可能にする箱およびブランクを提供することにある。
【課題を解決するための手段】
【０００８】
本発明による箱は、底板と、前記底板の第１縁辺から起立した第１側板と、前記底板の前記第１縁辺と交差する第２縁辺から起立した第２側板と、前記第２側板の先縁から前記底板に向けて折り曲げられ、前記第２側板の内側に配置された内板と、前記内板の側縁から延び、前記第１側板の内側に重なるように配置された補強片とを備えることを特徴とするものである。
【発明の効果】
【０００９】
本発明によれば、当該内板の側縁に設けられた補強片が第１側板の内側に重なるように配置されるので、重ね合わせられた部分の剛性が強化され、箱が変形しにくくなる結果、箱の係合が解除されにくくなり、収容された物品が汚損することを抑制することが可能となる。
【図面の簡単な説明】
【００１０】
【図１】本発明の第１実施形態に係る箱の斜視図である。
【図２】本発明の第１実施形態に係る箱を展開したブランクの平面図である。
【図３】本発明の第１実施形態に係る箱の組み立てる様子について説明するための図であり、底板に対して４つの側面をそれぞれ起立させたときの箱の斜視図である。
【図４】本発明の第１実施形態に係る箱の組み立てる様子について説明するための図であり、２つの側面に対して４つの挟持部をそれぞれ折り曲げたときの箱の斜視図である。
【図５】本発明の第１実施形態に係る箱の組み立てる様子について説明するための図であり、４つの挟持部のうち外側挟持板に対して内側挟持板を底板側に折り曲げたときの箱の斜視図である。
【図６】本発明の第１実施形態に係る箱の組み立てる様子について説明するための図であり、４つの内側挟持板の係合突起を底板の４つの係合穴にそれぞれ嵌め込んだときの箱の斜視図である。
【図７】本発明の第２実施形態に係る箱の斜視図である。
【図８】本発明の第２実施形態に係る箱を展開したブランクの平面図である。
【図９】本発明の第２実施形態に係る箱の組み立てる様子について説明するための図であり、底板に対して４つの側面をそれぞれ起立させたときの箱の斜視図である。
【図１０】本発明の第２実施形態に係る箱の組み立てる様子について説明するための図であり、２つの内板を２つの側面に対して底板側にそれぞれ折り曲げ、４つの補強片を内側にそれぞれ折り曲げて、２つの内板の４つの係合突起を底板の４つの係合穴にそれぞれ嵌め込んだときの箱の斜視図である。
【図１１】本発明の第２実施形態に係る箱の組み立てる様子について説明するための図であり、２つの側面に対して４つの挟持部をそれぞれ折り曲げたときの箱の斜視図である。
【図１２】本発明の第２実施形態に係る箱の組み立てる様子について説明するための図であり、４つの挟持部のうち外側挟持板に対して内側挟持板を底板側に折り曲げたときの箱の斜視図である。
【図１３】本発明の第３実施形態に係る箱の斜視図である。
【図１４】本発明の第３実施形態に係る箱を展開したブランクの平面図である。
【図１５】本発明の第３実施形態に係る箱の組み立てる様子について説明するための図であり、底板に対して４つの側面をそれぞれ起立させたときの箱の斜視図である。
【図１６】本発明の第３実施形態に係る箱の組み立てる様子について説明するための図であり、２つの内板を２つの側面に対して底板側にそれぞれ折り曲げ、４つの補強片を内側にそれぞれ折り曲げて、２つの内板の４つの係合突起を底板の４つの係合穴にそれぞれ嵌め込んだときの箱の斜視図である。
【図１７】本発明の第３実施形態に係る箱の組み立てる様子について説明するための図であり、２つの側面に対して４つの挟持部をそれぞれ折り曲げたときの箱の斜視図である。
【図１８】本発明の第３実施形態に係る箱の組み立てる様子について説明するための図であり、４つの挟持部のうち外側挟持板に対して内側挟持板を底板側に折り曲げたときの箱の斜視図である。
【図１９】図１３のＸＩＸ−ＸＩＸ方向断面図である。
【図２０】箱を積み重ねたときの落ち込みが抑制されることを説明するための図であって、本発明の２つの実施形態に係る箱の角部付近を拡大した平面図であり、（ａ）は、第１実施形態に係る箱の角部付近を示す図であり、（ｂ）は、第２実施形態に係る箱の角部付近を示す図であり、（ｃ）は、第３実施形態に係る箱の角部付近を示す図である。
【発明を実施するための形態】
【００１１】
以下、図面を参照しながら本発明を実施するための形態を詳細に説明する。但し、本発明は本形態の態様に限定されるものではない。
【００１２】
なお、本明細書および特許請求の範囲の記載において、「矩形」とは、長方形のほか正方形を含むものであり、「略直方体」とは、直方体のほか立方体も含むものである。
【００１３】
＜第１実施形態＞
＜構造＞
図１に本発明の第１実施形態に係る箱１０の斜視図を示し、図２に本実施形態に係る箱１０を展開したブランク１０Ｂの平面図を示す。
【００１４】
本実施形態に係る箱１０は、略直方体形状を呈しており、青果物（例えば、トマト）等の物品を内部に収容することが可能なトレー状のものである。
【００１５】
箱１０は、図１および図２に示すように、第１縁辺Ｌ１１、第１縁辺Ｌ１１と交差する第２縁辺Ｌ２１、第３縁辺Ｌ１２、および第３縁辺Ｌ１２と交差する第４縁辺Ｌ２２を有する矩形の底板１１と、底板１１の第１縁辺から第４縁辺Ｌ１１、Ｌ２１、Ｌ１２、Ｌ２２からそれぞれ起立した第１側板から第４側板２１１、２２１、２１２、２２２と、第２側板２２１および第４側板２２２の先縁から底板１１に向けてそれぞれ折り曲げられ、第２側板２２１および第４側板２２２の内側にそれぞれ配置された第１内板３１１および第２内板３１２とを備えて構成される。また、箱１０は、第１内板３１１の両側縁Ｌ４１１およびＬ４１２からそれぞれ延び、第１側板２１１および第３側板２１２の内側に重なるようにそれぞれ配置された第１補強片４１１および第２補強片４１２と、第２内板３１２の両側縁Ｌ４２１およびＬ４２２からそれぞれ延び、第３側板２１２および第１側板２１１の内側に重なるようにそれぞれ配置された第３補強片４２１および第４補強片４２２とを備えて構成される。内板３１１、３１２の先縁には、廃棄の際に、後述する係合突起ｐ５からｐ８と係合穴ｈ５からｈ８との係合を（例えば指で）解除し易くするための切り欠き部を設けてもよい。
【００１６】
底板１１は、相互に平行な第１縁辺Ｌ１１および第３縁辺Ｌ１２と、第１縁辺Ｌ１１と直交する相互に平行な第２縁辺Ｌ２１および第４縁辺Ｌ２２と、を有する。
【００１７】
第１側板２１１は、第１縁辺Ｌ１１と直交する相互に平行な第１３縁辺Ｌ６１１および第１６縁辺Ｌ６２２を有し、第１縁辺Ｌ１１から延びて直角に折れ曲がっている。
【００１８】
第２側板２２１は、第２縁辺Ｌ２１と平行な第５縁辺Ｌ２２１と、第２縁辺Ｌ２１と直交する相互に平行な第１７縁辺Ｌ７１１および第２０縁辺Ｌ７１２とを有し、第２縁辺Ｌ２１から延びて直角に折れ曲がっている。
【００１９】
第３側板２１２は、第３縁辺Ｌ１２と直交する相互に平行な第１４縁辺Ｌ６１２および第１５縁辺Ｌ６２１を有し、第３縁辺Ｌ１２から延び、直角に折れ曲がって第１側板２１１と対向している。
【００２０】
第４側板２２２は、第４縁辺Ｌ２２と平行な第６縁辺Ｌ２２２と、第４縁辺Ｌ２２と直交する相互に平行な第２３縁辺Ｌ７２１および第２６縁辺Ｌ７２２とを有し、第４縁辺Ｌ２２から延び、直角に折れ曲がって第２側板２２１と背向している。
【００２１】
第１内板３１１は、第１連結縁板５１を介して第２側板２２１に接続されており、第２内板３１２は、第２連結縁板５２を介して第４側板２２２に接続されている。第１連結縁板５１は、第５縁辺Ｌ２２１と平行な第７縁辺Ｌ３１１を有し、第５縁辺Ｌ２２１から延びて直角に折れ曲がっており、第２連結縁板５２は、第６縁辺Ｌ２２２と平行な第８縁辺Ｌ３１２を有し、第６縁辺Ｌ２２２から延びて直角に折れ曲がっている。
【００２２】
第１内板３１１は、第７縁辺Ｌ３１１と直交する相互に平行な第９縁辺Ｌ４１１および第１０縁辺Ｌ４１２とを有し、第７縁辺Ｌ３１１から延びて直角に折れ曲がっており、第２内板３１２は、第８縁辺Ｌ３１２と直交する相互に平行な第１１縁辺Ｌ４２１および第１２縁辺Ｌ４２２とを有し、第８縁辺Ｌ３１２から延びて直角に折れ曲がっている。
【００２３】
底板１１には、図２に示すように、第２縁辺Ｌ２１に近接して第５係合穴ｈ５および第６係合穴ｈ６が設けられており、第４縁辺Ｌ２２に近接して第７係合穴ｈ７および第８係合穴ｈ８が設けられている。係合穴は切り抜きによって形成されうる。
【００２４】
第１内板３１１の先縁には、第５係合穴ｈ５に嵌合することが可能な第５係合突起ｐ５と、第６係合穴ｈ６に嵌合することが可能な第６係合突起ｐ６とが設けられており、第２内板３１２の先縁には、第７係合穴ｈ７に嵌合することが可能な第７係合突起ｐ７と、第８係合穴ｈ８に嵌合することが可能な第８係合突起ｐ８とが設けられている。
【００２５】
第１内板３１１には、上述したように、第１補強片４１１および第２補強片４１２が設けられており、第２内板３１２には、第３補強片４２１および第４補強片４２２が設けられる。
【００２６】
第１補強片４１１は、第９縁辺Ｌ４１１から延び、第１側板２１１の内側に重なるように配置され（その端縁Ｅ４１１が）第１内側挟持板７１１ａに接触可能に、箱１０の内側に折れ曲がっており、第２補強片４１２は、第１０縁辺Ｌ４１２から延び、第３側板２１２の内側に重なるように配置され（その端縁Ｅ４１２が）第２内側挟持板７１２ａに接触可能に、箱１０の内側に折れ曲がっている。また、第３補強片４２１は、第１１縁辺Ｌ４２１から延び、第３側板２１２の内側に重なるように配置され（その端縁Ｅ４２１が）第３内側挟持板７２１ａに接触可能に、箱１０の内側に折れ曲がっており、第４補強片４２２は、第１２縁辺Ｌ４２２から延び、第１側板２１１の内側に重なるように配置され（その端縁Ｅ４２２が）第４内側挟持板７２２ａに接触可能に、箱１０の内側に折れ曲がっている。
【００２７】
第２側板２２１には、第１側板２１１を挟んで固定するように配置される第１外側挟持板７１１ｂおよび第１内側挟持板７１１ａを有する第１挟持部７１１と、第３側板２１２を挟んで固定するように配置される第２外側挟持板７１２ｂおよび第２内側挟持板７１２ａを有する第２挟持部７１２とが設けられる。また、第４側板２２２には、第３側板２１２を挟んで固定するように配置される第３外側挟持板７２１ｂおよび第３内側挟持板７２１ａを有する第３挟持部７２１と、第１側板２１１を挟んで固定するように配置される第４外側挟持板７２２ｂおよび第４内側挟持板７２２ａを有する第４挟持部７２２とが設けられる。
【００２８】
第１外側挟持板７１１ｂは、第１７縁辺Ｌ７１１と直交する第１８縁辺Ｌ７１１ｂを有し、第１７縁辺Ｌ７１１から延びて直角に折れ曲がっており、第３外側挟持板７２１ｂは、第２３縁辺Ｌ７２１と直交する第２４縁辺Ｌ７２１ｂを有し、第２３縁辺Ｌ７２１から延びて直角に折れ曲がっている。
【００２９】
第１内側挟持板７１１ａは、第１挟持縁板７１１ｃを介して第１外側挟持板７１１ｂに接続されており、第３内側挟持板７２１ａは、第３挟持縁板７２１ｃを介して第３外側挟持板７２１ｂに接続されている。
【００３０】
第１挟持縁板７１１ｃは、第１８縁辺Ｌ７１１ｂと平行な第１９縁辺Ｌ７１１ａを有し、第１８縁辺Ｌ７１１ｂから延びて直角に折れ曲がっており、第３挟持縁板７２１ｃは、第２４縁辺Ｌ７２１ｂと平行な第２５縁辺Ｌ７２１ａを有し、第２４縁辺Ｌ７２１ｂから延びて直角に折れ曲がっている。
【００３１】
第１内側挟持板７１１ａは、第１９縁辺Ｌ７１１ａから延びて直角に折れ曲がっており、第３内側挟持板７２１ａは、第２５縁辺Ｌ７２１ａから延びて直角に折れ曲がっている。
【００３２】
第２外側挟持板７１２ｂは、第２０縁辺Ｌ７１２と直交する第２１縁辺Ｌ７１２ｂを有し、第２０縁辺Ｌ７１２から延びて直角に折れ曲がっており、第４外側挟持板７２２ｂは、第２６縁辺Ｌ７２２と直交する第２７縁辺Ｌ７２２ｂを有し、第２６縁辺Ｌ７２２から延びて直角に折れ曲がっている。
【００３３】
第２内側挟持板７１２ａは、第２挟持縁板７１２ｃを介して第２外側挟持板７１２ｂに接続されており、第４内側挟持板７２２ａは、第４挟持縁板７２２ｃを介して第４外側挟持板７２２ｂに接続されている。
【００３４】
第２挟持縁板７１２ｃは、第２１縁辺Ｌ７１２ｂと平行な第２２縁辺Ｌ７１２ａを有し、第２１縁辺Ｌ７１２ｂから延びて直角に折れ曲がっており、第４挟持縁板７２２ｃは、第２７縁辺Ｌ７２２ｂと平行な第２８縁辺Ｌ７２２ａを有し、第２７縁辺Ｌ７２２ｂから延びて直角に折れ曲がっている。
【００３５】
第２内側挟持板７１２ａは、第２２縁辺Ｌ７１２ａから延びて直角に折れ曲がっており、第４内側挟持板７２２ａは、第２８縁辺Ｌ７２２ａから延びて直角に折れ曲がっている。
【００３６】
底板１１には、図２に示すように、第１縁辺Ｌ１１に近接して第１係合穴ｈ１が設けられており、第３縁辺Ｌ１２に近接して第２係合穴ｈ２が設けられており、第３縁辺Ｌ１２に近接して第３係合穴ｈ３が設けられており、第１縁辺Ｌ１１に近接して第４係合穴ｈ４が設けられている。
【００３７】
第１内側挟持板７１１ａの先縁には、第１係合穴ｈ１に嵌合することが可能な第１係合突起ｐ１が設けられ、第２内側挟持板７１２ａの先縁には、第２係合穴ｈ２に嵌合することが可能な第２係合突起ｐ２が設けられる。また、第３内側挟持板７２１ａの先縁には、第３係合穴ｈ３に嵌合することが可能な第３係合突起ｐ３が設けられ、第４内側挟持板７２２ａの先縁には、第４係合穴ｈ４に嵌合することが可能な第４係合突起ｐ４が設けられる。
【００３８】
第１側板２１１には、第２側板２２１と第１内板３１１とで挟まれるように配置されている第１被挟持片６１１と、第４側板２２２と第２内板３１２とで挟まれるように配置されている第４被挟持片６２２が設けられている。また、第３側板２１２には、第２側板２２１と第１内板３１１とで挟まれるように配置されている第２被挟持片６１２と、第４側板２２２と第２内板３１２とで挟まれるように配置されている第３被挟持片６２１が設けられている。
【００３９】
第１被挟持片６１１は、第１３縁辺Ｌ６１１から延びて直角に折れ曲がっており、第２被挟持片６１２は、第１４縁辺Ｌ６１２から延びて直角に折れ曲がっており、第３被挟持片６２１は、第１５縁辺Ｌ６２１から延びて直角に折れ曲がっており、第４被挟持片６２２は、第１６縁辺Ｌ６２２から延びて直角に折れ曲がっている。
【００４０】
本実施形態では、箱１０は、図１に示すように、第５係合突起ｐ５と第５係合穴ｈ５との係合の位置を示し突起形状を呈している第１係合位置表示部Ｓ５および第６係合突起ｐ６と第６係合穴ｈ６との係合の位置を示し突起形状を呈している第２係合位置表示部Ｓ６を備える。また、箱１０は、図１に示すように、第７係合突起ｐ７と第７係合穴ｈ７との係合の位置を示し突起形状を呈している第３係合位置表示部Ｓ７および第８係合突起ｐ８と第８係合穴ｈ８との係合の位置を示し突起形状を呈している第４係合位置表示部Ｓ８を備える。本発明では、箱１０（または後述の箱１０’、箱１０’’）は、第１係合位置表示部Ｓ５から第４係合位置表示部Ｓ８を含む構成であってもよいし、含まない構成であってもよい（後述の第３実施形態を参照）。
【００４１】
＜箱のブランク＞
図２に移り、本実施形態における箱１０のブランク１０Ｂにおいて、第１側板２１１は第１縁辺（第１折り曲げ線）Ｌ１１を介して、第２側板２２１は第２縁辺（第２折り曲げ線）Ｌ２１を介して、第３側板２１２は第３縁辺（第３折り曲げ線）Ｌ１２を介して、第４側板２２２は第４縁辺（第４折り曲げ線）Ｌ２２を介して、底板１１とそれぞれ接続している。
【００４２】
第１連結縁板５１は、第５縁辺（第５折り曲げ線）Ｌ２２１を介して第２側板２２１と接続しており、第１内板３１１は、第７縁辺（第７折り曲げ線）Ｌ３１１を介して第１連結縁板５１と接続している。また、第２連結縁板５２は、第６縁辺（第６折り曲げ線）Ｌ２２２を介して第４側板２２２と接続しており、第２内板３１２は、第８縁辺（第８折り曲げ線）Ｌ３１２を介して第２連結縁板５２と接続している。
【００４３】
第１補強片４１１は、第９縁辺（第９折り曲げ線）Ｌ４１１を介して第１内板３１１と接続しており、第２補強片４１２は、第１０縁辺（第１０折り曲げ線）Ｌ４１２を介して第１内板３１１と接続している。また、第３補強片４２１は、第１１縁辺（第１１折り曲げ線）Ｌ４２１を介して第２内板３１２と接続しており、第４補強片４２２は、第１２縁辺（第１２折り曲げ線）Ｌ４２２を介して第２内板３１２と接続している。
【００４４】
第１被挟持片６１１は、第１３縁辺（第１３折り曲げ線）Ｌ６１１を介して第１側板２１１と接続しており、第４被挟持片６２２は、第１６縁辺（第１６折り曲げ線）Ｌ６２２を介して第１側板２１１と接続している。また、第２被挟持片６１２は、第１４縁辺（第１４折り曲げ線）Ｌ６１２を介して第３側板２１２と接続しており、第３被挟持片６２１は、第１５縁辺（第１５折り曲げ線）Ｌ６２１を介して第３側板２１２と接続している。
【００４５】
第１外側挟持板７１１ｂは、第１７縁辺（第１７折り曲げ線）Ｌ７１１を介して第２側板２２１と接続しており、第１挟持縁板７１１ｃは、第１８縁辺（第１８折り曲げ線）Ｌ７１１ｂを介して第１外側挟持板７１１ｂと接続しており、第１内側挟持板７１１ａは、第１９縁辺（第１９折り曲げ線）Ｌ７１１ａを介して第１挟持縁板７１１ｃと接続している。
【００４６】
第２外側挟持板７１２ｂは、第２０縁辺（第２０折り曲げ線）Ｌ７１２を介して第２側板２２１と接続しており、第２挟持縁板７１２ｃは、第２１縁辺（第２１折り曲げ線）Ｌ７１２ｂを介して第２外側挟持板７１２ｂと接続しており、第２内側挟持板７１２ａは、第２２縁辺（第２２折り曲げ線）Ｌ７１２ａを介して第２挟持縁板７１２ｃと接続している。
【００４７】
第３外側挟持板７２１ｂは、第２３縁辺（第２３折り曲げ線）Ｌ７２１を介して第４側板２２２と接続しており、第３挟持縁板７２１ｃは、第２４縁辺（第２４折り曲げ線）Ｌ７２１ｂを介して第３外側挟持板７２１ｂと接続しており、第３内側挟持板７２１ａは、第２５縁辺（第２５折り曲げ線）Ｌ７２１ａを介して第３挟持縁板７２１ｃと接続している。
【００４８】
第４外側挟持板７２２ｂは、第２６縁辺（第２６折り曲げ線）Ｌ７２２を介して第４側板２２２と接続しており、第４挟持縁板７２２ｃは、第２７縁辺（第２７折り曲げ線）Ｌ７２２ｂを介して第４外側挟持板７２２ｂと接続しており、第４内側挟持板７２２ａは、第２８縁辺（第２８折り曲げ線）Ｌ７２２ａを介して第４挟持縁板７２２ｃと接続している。
【００４９】
本実施形態では、図２に示すように、略矩形状のブランク１０Ｂに、略Ｓ字状の第１切り込み線Ｃ１１および第５切り込み線Ｃ４１１、略逆Ｓ字状の第２切り込み線Ｃ１２および第６切り込み線Ｃ４１２、略Ｓ字状の第３切り込み線Ｃ２１および第７切り込み線Ｃ４２１、並びに第４切り込み線Ｃ２２および第８切り込み線Ｃ４２２を設けることで、略矩形状のブランク１０Ｂの四隅付近に、第１被挟持片６１１および第１挟持部７１１、第２被挟持片６１２および第２挟持部７１２、第３被挟持片６２１および第３挟持部７２１、並びに第４被挟持片６２２および第４挟持部７２２がそれぞれ形成されることになる。
【００５０】
図２および後述する図４に示すように、第１被挟持片から第４被挟持片６１１、６１２、６２１、６２２の天面側の先縁には、内側に折り曲げることで、第１連結縁板５１および第２連結縁板５２を内側から支える機能を有する第１縁片から第４縁片ｆ１１ａ、ｆ１２ａ、ｆ２１ａ、ｆ２２ａがそれぞれ設けられている。
【００５１】
本実施形態では、第１係合位置表示部Ｓ５および第２係合位置表示部Ｓ６は、図２に示すように、第２側板２２１と第１連結縁板５１と第１内板３１１の３つの面に亘って形成され、第１係合位置表示部Ｓ５は、第３０折り曲げ線Ｌ５１、第３１折り曲げ線Ｌ５２、第３２折り曲げ線Ｌ５３、第９切り込み線Ｃ５１、および第１０切り込み線Ｃ５２を設けることで形成される、２つの片５２１、５３１で構成され、第２係合位置表示部Ｓ６は、第３３折り曲げ線Ｌ６１、第３４折り曲げ線Ｌ６２、第３５折り曲げ線Ｌ６３、第１１切り込み線Ｃ６１、および第１２切り込み線Ｃ６２を設けることで形成される、２つの片６２１、６３１で構成される。
【００５２】
また、第３係合位置表示部Ｓ７および第４係合位置表示部Ｓ８は、図２に示すように、第４側板２２２と第２連結縁板５２と第２内板３１２の３つの面に亘って形成され、第３係合位置表示部Ｓ７は、第３６折り曲げ線Ｌ７１、第３７折り曲げ線Ｌ７２、第３８折り曲げ線Ｌ７３、第１３切り込み線Ｃ７１、および第１４切り込み線Ｃ７２を設けることで形成される、２つの片７２１、７３１で構成され、第４係合位置表示部Ｓ８は、第３９折り曲げ線Ｌ８１、第４０折り曲げ線Ｌ８２、第４１折り曲げ線Ｌ８３、第１５切り込み線Ｃ８１、および第１６切り込み線Ｃ８２を設けることで形成される、２つの片８２１、８３１で構成される。
【００５３】
第５折り曲げ線Ｌ２２１と第１７折り曲げ線Ｌ７１１と第１８折り曲げ線Ｌ７１１ｂとが交差する部分には、三角形状の第１切り抜き部ｔ１１が設けられ、第５折り曲げ線Ｌ２２１と第２０折り曲げ線Ｌ７１２と第２１折り曲げ線Ｌ７１２ｂとが交差する部分には、三角形状の第２切り抜き部ｔ１１が設けられる。また、第７折り曲げ線Ｌ２２２と第２３折り曲げ線Ｌ７２１と第２４折り曲げ線Ｌ７２１ｂとが交差する部分には、三角形状の第３切り抜き部ｔ２１が設けられ、第７折り曲げ線Ｌ２２２と第２６折り曲げ線Ｌ７２２と第２７折り曲げ線Ｌ７２２ｂとが交差する部分には、三角形状の第４切り抜き部ｔ２２が設けられる。
【００５４】
本実施形態におけるブランク１０Ｂでは、第２折り曲げ線Ｌ２１、第４折り曲げ線Ｌ２２、第５折り曲げ線Ｌ２２１、第６折り曲げ線Ｌ２２２、第７折り曲げ線Ｌ３１１、第８折り曲げ線Ｌ３１２、第１３折り曲げ線Ｌ６１１、第１４折り曲げ線Ｌ６１２、第１５折り曲げ線Ｌ６２１、第１６折り曲げ線Ｌ６２２、第１８折り曲げ線Ｌ７１１ｂ、第１９折り曲げ線Ｌ７１１ａ、第２１折り曲げ線Ｌ７１２ｂ、第２２折り曲げ線Ｌ７１２ａ、第２４折り曲げ線Ｌ７２１ｂ、第２５折り曲げ線Ｌ７２１ａ、第２７折り曲げ線Ｌ７２２ｂ、および第２８折り曲げ線Ｌ７２２ａが段ボールの横罫線（いわゆる、スコア）となる。
【００５５】
また、本実施形態におけるブランク１０Ｂでは、第１折り曲げ線Ｌ１１、第３折り曲げ線Ｌ１２、第９折り曲げ線Ｌ４１１、第１０折り曲げ線Ｌ４１２、第１１折り曲げ線Ｌ４２１、第１２折り曲げ線Ｌ４２２、第１７折り曲げ線Ｌ７１１、第２０折り曲げ線Ｌ７１２、第２３折り曲げ線Ｌ７２１、および第２６折り曲げ線Ｌ７２２が、段ボールの縦罫線（いわゆる、クリーズ）となるように設定されている。尚、罫線の形成方向は、これに限られず、箱が開いて収容物品が箱から脱落することを抑制するという本発明の目的を達成しうるものであれば、いずれの方向に形成されても良い。なお、折り曲げ線は、例えばリード罫や切り込み線を含むもので形成してもよい。
【００５６】
＜組み立て手順＞
図３から図６は、本実施形態に係る箱の組み立てる様子について説明するための図であって、図３は、底板に対して４つの側面をそれぞれ起立させたときの箱の斜視図であり、図４は、２つの側面に対して４つの挟持部をそれぞれ折り曲げたときの箱の斜視図であり、図５は、４つの挟持部のうち外側挟持板に対して内側挟持板を底板側に折り曲げたときの箱の斜視図であり、図６は、４つの内側挟持板の係合突起を底板の４つの係合穴にそれぞれ嵌め込んだときの箱の斜視図である。
【００５７】
図３に示すように、底板１１に対して起立させるように第１側板２１１を折り返し、第１側板２１１の第１被挟持片６１１および第４被挟持片６２２を内側にそれぞれ折り返し、底板１１に対して起立させるように第３側板２１２を折り返し、第３側板２１２の第２被挟持片６１２および第３被挟持片６２１を内側にそれぞれ折り返す。そして、底板１１に対して起立させるように第２側板２２１および第４側板２２２を折り返すと、図３に示す状態になる。
【００５８】
次に、第２側板２２１から第１外側挟持板７１１ｂおよび第４外側挟持板７２２ｂを内側にそれぞれ折り返し、第４側板２２２から第２外側挟持板７１２ｂおよび第３外側挟持板７２１ｂを内側にそれぞれ折り返すと、図４に示す状態になる。
【００５９】
続いて、第１外側挟持板７１１ｂから第１挟持縁板７１１ｃを底板１１側に折り返し、第１挟持縁板７１１ｃから第１内側挟持板７１１ａを底板１１側に折り返し、第２外側挟持板７１２ｂから第２挟持縁板７１２ｃを底板１１側に折り返し、第２挟持縁板７１２ｃから第２内側挟持板７１２ａを底板１１側に折り返し、第３外側挟持板７２１ｂから第３挟持縁板７２１ｃを底板１１側に折り返し、第３挟持縁板７２１ｃから第３内側挟持板７２１ａを底板１１側に折り返し、第４外側挟持板７２２ｂから第４挟持縁板７２２ｃを底板１１側に折り返し、第４挟持縁板７２２ｃから第４内側挟持板７２２ａを底板１１側に折り返すと、図５に示す状態になる。
【００６０】
そして、第１内側挟持板７１１ａの第１係合突起ｐ１を底板１１の第１係合穴ｈ１に嵌め込み、第２内側挟持板７１２ａの第２係合突起ｐ２を底板１１の第２係合穴ｈ２に嵌め込み、第３内側挟持板７２１ａの第３係合突起ｐ３を底板１１の第３係合穴ｈ３に嵌め込み、第４内側挟持板７２２ａの第４係合突起ｐ４を底板１１の第４係合穴ｈ４に嵌め込むと、図６に示す状態になる。
【００６１】
その後、第２側板２２１から第１連結縁板５１を底板１１側に折り返し、第１連結縁板５１から第１内板３１１を底板１１側に折り返し、第１内板３１１の第５係合突起ｐ５および第６係合突起ｐ６を底板１１の第５係合穴ｈ５および第６係合穴ｈ６にそれぞれ嵌め込み、第４側板２２２から第２連結縁板５２を底板１１側に折り返し、第２連結縁板５２から第２内板３１２を底板１１側に折り返し、第２内板３１２の第７係合突起ｐ７および第８係合突起ｐ８を底板１１の第７係合穴ｈ７および第８係合穴ｈ８にそれぞれ嵌め込むと、図１に示す箱１０になる。
【００６２】
従来、青果物（例えばトマト）等の物品を収容して運搬するときには、汚れたり傷ついたりしないように、また、そのまま店頭に置いて陳列できるように、段ボール製の箱（例えば、トレー）が広く利用されている。当該トレーの側面には強度が求められることに鑑み、例えば、特許文献１および特許文献２には、２層の側面を有するトレーが記載され、また、特許文献３には、２層の側面のうち外板に対する内板の移動を抑制するために、移動抑制板を外板と内板との間に配置したトレーが記載されている。
【００６３】
ところで、トレーは積み重ねて使用されることが多いところ、特許文献１から特許文献３に記載のトレーでは、上に積み重なったトレーの重さで、下に位置するトレーの組み立てるための係合が外れる可能性について考慮されていなかった。よって、トレーの組み立て状態が解除され、収容された物品が保護されずに汚損するおそれがあった。
【００６４】
本実施形態によれば、第１内板３１１の第１補強片４１１および第４補強片４２２が、第１内側挟持板７１１ａおよび第４内側挟持板７２２ａに重ねるように配置され、第２内板３１２の第２補強片４１２および第３補強片４２１が、第２内側挟持板７１２ａおよび第３内側挟持板７２１ａに重ねるように配置されるので、重ね合わせられた部分の剛性が強化され、たとえ上に箱を積み重ねても、箱１０が変形しにくくなる結果、箱１０の係合が解除されにくくなり、収容された物品が汚損することを抑制することが可能となる。
【００６５】
また、たとえ箱を積み重ねた際に下側の箱１０に対する上側の箱の位置がずれても、第１補強片４１１、第２補強片４１２、第３補強片４２１、および第４補強片４２２の存在により、上側に位置する箱の四隅の角部の底側が、下側に位置する箱１０の内側に入り込むこと（いわゆる落ち込み）を抑制することが可能となる（後述する図１３（ａ）の符号Ｒａを参照）。本実施形態では、補強片が箱１０に４つ設けられているが、本発明ではこれに限られず、１つでも本発明の効果を奏するものである。
【００６６】
＜第１実施形態の変形例＞
第１実施形態では、図２に示すように、底板１１の有する４つの縁辺Ｌ１１、Ｌ２１、Ｌ１２、Ｌ２２において、第１縁辺Ｌ１１の長さ（または第３縁辺Ｌ１２の長さ）は、第２縁辺Ｌ２１の長さ（または第４縁辺Ｌ２２の長さ）よりも長く、箱１０のブランク１０Ｂ全体として縦長の略矩形状を呈している構成であるが、本発明ではこれに限られない。
【００６７】
例えば、第１実施形態の変形例では、底板１１の有する４つの縁辺Ｌ１１、Ｌ２１、Ｌ１２、Ｌ２２において、第１縁辺Ｌ１１の長さ（または第３縁辺Ｌ１２の長さ）が、第２縁辺Ｌ２１の長さ（または第４縁辺Ｌ２２の長さ）よりも短く、箱１０のブランク１０Ｂ全体として横長の略矩形状を呈している構成であってもよい。この構成により、２層の側面（第２側板２２１および第１内板３１１、第４側板２２２および第２内板３１２）の長さが１層の側面（第２側板２２１、第４側板２２２）の長さより長くなるので、箱１０の側面の強度を向上させることが可能となる。
【００６８】
＜第２実施形態＞
＜構成＞
本発明の第２実施形態では、第１実施形態と異なり、係合穴を底板１１の縁辺に交差する方向に沿って延びるように配置することで、箱の係合の強化を可能にしている。また、本実施形態では、第１実施形態と異なり、箱の組み立てる際に、挟持部で補強板を覆うように固定することで、補強板をさらに補強し、箱の剛性をさらに強化している。本実施形態に係る箱１０’を構成する各要素のうち、同様の機能を有するものについては、第１実施形態と同一の符号を付してその説明を省略する。
【００６９】
図７に本発明の第２実施形態に係る箱１０’の斜視図を示し、図８に本実施形態に係る箱１０’を展開したブランク１０Ｂ’の平面図を示す。
【００７０】
本実施形態に係る箱１０’は、第１実施形態と同様に、略直方体形状を呈しており、図７および図８に示すように、第１縁辺Ｌ１１、第１縁辺Ｌ１１と交差する第２縁辺Ｌ２１、第３縁辺Ｌ１２、および第３縁辺Ｌ１２と交差する第４縁辺Ｌ２２を有する矩形の底板１１と、底板１１の第１縁辺から第４縁辺Ｌ１１、Ｌ２１、Ｌ１２、Ｌ２２からそれぞれ起立した第１側板から第４側板２１１’、２２１、２１２’、２２２と、第２側板２２１および第４側板２２２の先縁から底板１１に向けてそれぞれ折り曲げられ、第２側板２２１および第４側板２２２の内側にそれぞれ配置された第１内板３１１および第２内板３１２とを備えて構成される。また、箱１０’は、第１内板３１１の両側縁Ｌ４１１およびＬ４１２からそれぞれ延び、第１側板２１１’の内側に重ねるように配置された第１補強片４１１および第２補強片４１２と、第２内板３１２の両側縁Ｌ４２１およびＬ４２２からそれぞれ延び、第２側板２２１の内側に重ねるように配置された第３補強片４２１および第４補強片４２２とを備えて構成される。
【００７１】
第１補強片４１１は、第９縁辺Ｌ４１１から延び、（その端縁Ｅ４１１が）第１側板２１１’の内側に重なるように（または接触可能に）、箱１０’の内側に折れ曲がっており、第２補強片４１２は、第１０縁辺Ｌ４１２から延び、（その端縁Ｅ４１２が）第３側板２１２’の内側に重なるように（または接触可能に）、箱１０’の内側に折れ曲がっている。また、第３補強片４２１は、第１１縁辺Ｌ４２１から延び、（その端縁Ｅ４２１が）第３側板２１２’の内側に重なるように（または接触可能に）、箱１０’の内側に折れ曲がっており、第４補強片４２２は、第１２縁辺Ｌ４２２から延び、（その端縁Ｅ４２２が）第１側板２１１’の内側に重なるように（または接触可能に）、箱１０’の内側に折れ曲がっている。
【００７２】
本発明では、第１９縁辺Ｌ７１１ａと第１８縁辺Ｌ７１１ｂとは並列しており、第２２縁辺Ｌ７１２ａおよび第２１縁辺Ｌ７１２ｂ、第２５縁辺Ｌ７２１ａおよび第２４縁辺Ｌ７２１ｂ、第２８縁辺Ｌ７２２ａおよび第２７縁辺Ｌ７２２ｂも同様に並列している。第１実施形態では、これらの縁辺は相互に平行であるが、本実施形態では、第１９縁辺Ｌ７１１ａ’は、第１８縁辺Ｌ７１１ｂに対して、第２側板２２１に向かうごとに間隔が広くなるように傾斜して形成されており、第２２縁辺Ｌ７１２ａ’も同様に、第２１縁辺Ｌ７１２ｂに対して、第２側板２２１に向かうごとに間隔が広くなるように傾斜して形成されている。また、第２５縁辺Ｌ７２１ａ’は、第２４縁辺Ｌ７２１ｂに対して、第４側板２２２に向かうごとに間隔が広くなるように傾斜して形成されており、第２８縁辺Ｌ７２２ａ’も同様に、第２７縁辺Ｌ７２２ｂに対して、第４側板２２２に向かうごとに間隔が広くなるように傾斜して形成されている。
【００７３】
本実施形態では、箱１０’の第１側板２１１’および第３側板２１２’には、箱１０’を積み重ねたときに、通気させることや、収容した物品を確認する等の目的で、円形の切り抜き穴が各２箇所に設けられている。当該切り抜き穴は、上述した第１実施形態にも採用されうる。また、当該切り抜き穴は、第１実施形態および第２実施形態に係る箱１０（１０’）の第２側板２２１、第１内板３１１、第４側板２２２、および第２内板３１２にも採用され得（後述の第３実施形態を参照）、第３実施形態に係る箱１０’’の第１側板２１１および第３側板２１２にも採用され得る。
【００７４】
＜箱のブランク＞
図８に移り、本実施形態における箱１０’のブランク１０Ｂ’において、底板１１には、第１折り曲げ線Ｌ１１に近接してＬ字状の第１係合穴ｈ１’が設けられており、第３折り曲げ線Ｌ１２に近接して逆Ｌ字状の第２係合穴ｈ２’が設けられており、第３折り曲げ線Ｌ１２に近接してＬ字状の第３係合穴ｈ３’が設けられており、第１折り曲げ線Ｌ１１に近接して逆Ｌ字状の第４係合穴ｈ４’が設けられている。
【００７５】
第１係合穴ｈ１’および第４係合穴ｈ４’は、第１折り曲げ線Ｌ１１および第２折り曲げ線Ｌ２１に交差する方向に沿って延びるように配置され、且つ、第１折り曲げ線Ｌ１１を跨ぐように延在しており、第２係合穴ｈ２’および第３係合穴ｈ３’は、第３折り曲げ線Ｌ１２および第２折り曲げ線Ｌ２１に交差する方向に沿って延びるように配置され、且つ、第３折り曲げ線Ｌ１２を跨ぐように延在している。
【００７６】
第１内側挟持板７１１ａ’の先縁には、第１係合穴ｈ１’に嵌合することが可能な第１係合突起ｐ１’が設けられ、第２内側挟持板７１２ａ’の先縁には、第２係合穴ｈ２’に嵌合することが可能な第２係合突起ｐ２’が設けられる。また、第３内側挟持板７２１ａ’の先縁には、第３係合穴ｈ３’に嵌合することが可能な第３係合突起ｐ３’が設けられ、第４内側挟持板７２２ａ’の先縁には、第４係合穴ｈ４’に嵌合することが可能な第４係合突起ｐ４’が設けられる。
【００７７】
これら構成により、係合穴と係合突起を介して係合している内側挟持板が、一重壁である側板２１１’、２１２’と交差しているため、側板２１１’、２１２’が運搬などで受ける力が当該係合部分に直接的にかからず、係合突起が係合穴から外れにくくなり、当該係合を維持することが可能となっている。
【００７８】
第１側板２１１’および第３側板２１２’の天面側の両先縁には、内側に折り曲げることで、第１挟持縁板から第４挟持縁板７１１ｃ’、７１２ｃ’、７２１ｃ’、７２２ｃ’を内側からそれぞれ支える機能を有する第５縁片から第８縁片ｆ１１ｂ、ｆ１２ｂ、ｆ２１ｂ、ｆ２２ｂがそれぞれ設けられている。
【００７９】
＜組み立て手順＞
図９から図１２は、本実施形態に係る箱の組み立てる様子について説明するための図であって、図９は、底板に対して４つの側面をそれぞれ起立させたときの箱の斜視図であり、図１０は、２つの内板を２つの側面に対して底板側にそれぞれ折り曲げ、４つの補強片を内側にそれぞれ折り曲げて、２つの内板の４つの係合突起を底板の４つの係合穴にそれぞれ嵌め込んだときの箱の斜視図であり、図１１は、２つの側面に対して４つの挟持部をそれぞれ折り曲げたときの箱の斜視図であり、図１２は、４つの挟持部のうち外側挟持板に対して内側挟持板を底板側に折り曲げたときの箱の斜視図である。
【００８０】
図９に示すように、底板１１に対して起立させるように第１側板２１１’を折り返し、第１側板２１１’の第１被挟持片６１１および第４被挟持片６２２を内側にそれぞれ折り返し、底板１１に対して起立させるように第３側板２１２’を折り返し、第３側板２１２’の第２被挟持片６１２および第３被挟持片６２１を内側にそれぞれ折り返す。そして、底板１１に対して起立させるように第２側板２２１および第４側板２２２を折り返すと、図９に示す状態になる。
【００８１】
次に、第２側板２２１から第１連結縁板５１を底板１１側に折り返し、第１連結縁板５１から第１内板３１１を底板１１側に折り返し、第１内板３１１の第５係合突起ｐ５および第６係合突起ｐ６を底板１１の第５係合穴ｈ５および第６係合穴ｈ６にそれぞれ嵌め込み、第４側板２２２から第２連結縁板５２を底板１１側に折り返し、第２連結縁板５２から第２内板３１２を底板１１側に折り返し、第２内板３１２の第７係合突起ｐ７および第８係合突起ｐ８を底板１１の第７係合穴ｈ７および第８係合穴ｈ８にそれぞれ嵌め込むと、図１０に示す状態になる。
【００８２】
続いて、第２側板２２１から第１外側挟持板７１１ｂおよび第４外側挟持板７２２ｂを内側にそれぞれ折り返し、第４側板２２２から第２外側挟持板７１２ｂおよび第３外側挟持板７２１ｂを内側にそれぞれ折り返すと、図１１に示す状態になる。
【００８３】
そして、第１外側挟持板７１１ｂ’から第１挟持縁板７１１ｃ’を底板１１側に折り返し、第１挟持縁板７１１ｃ’から第１内側挟持板７１１ａ’を底板１１側に折り返し、第２外側挟持板７１２ｂから第２挟持縁板７１２ｃ’を底板１１側に折り返し、第２挟持縁板７１２ｃ’から第２内側挟持板７１２ａ’を底板１１側に折り返し、第３外側挟持板７２１ｂから第３挟持縁板７２１ｃ’を底板１１側に折り返し、第３挟持縁板７２１ｃ’から第３内側挟持板７２１ａ’を底板１１側に折り返し、第４外側挟持板７２２ｂから第４挟持縁板７２２ｃ’を底板１１側に折り返し、第４挟持縁板７２２ｃ’から第４内側挟持板７２２ａ’を底板１１側に折り返すと、図１２に示す状態になる。
【００８４】
その後、第１内側挟持板７１１ａ’の第１係合突起ｐ１’を底板１１の第１係合穴ｈ１’に嵌め込み、第２内側挟持板７１２ａ’の第２係合突起ｐ２’を底板１１の第２係合穴ｈ２’に嵌め込み、第３内側挟持板７２１ａ’の第３係合突起ｐ３’を底板１１の第３係合穴ｈ３’に嵌め込み、第４内側挟持板７２２ａ’の第４係合突起ｐ４’を底板１１の第４係合穴ｈ４’に嵌め込むと、図７に示す箱１０’になる。
【００８５】
本実施形態によれば、第１内板３１１の第１補強片４１１および第４補強片４２２が、第１側板２１１’および第３側板２１２’の内側に重なるように配置され、第２内板３１２の第２補強片４１２および第３補強片４２１が、第１側板２１１’および第３側板２１２’の内側に重なるように配置されるので、重ね合わせられた部分の剛性が強化され、たとえ上に箱を積み重ねても、箱１０’が変形しにくくなる結果、箱１０’の係合が解除されにくくなり、収容された物品が汚損することを抑制することが可能となる。
【００８６】
さらに、第１挟持部から第４挟持部７１１’、７１２’、７２１’、７２２’が第１補強片から第４補強片４１１、４１２、４２１、４２２をそれぞれ覆うように配置されるので、その覆われた部分の剛性を強化することが可能となり、ひいては、箱１０’の係合が解除されにくくすることが可能となる。
【００８７】
また、挟持縁板の面積が、第１実施形態よりも広くなっていることから、上に積み重ねる箱の底が接触する面積が増えるので、箱１０’の係合部分に伝わる力が分散され、箱１０’の係合を維持することが可能となる。
【００８８】
加えて、たとえ箱を積み重ねた際に下側の箱１０に対する上側の箱の位置がずれても、第１挟持縁板７１１ｃ’、第２挟持縁板７１２ｃ’、第３挟持縁板７２１ｃ’、および第４挟持縁板７２２ｃ’の存在により、上述した落ち込みを抑制することが可能となる。本実施形態では、補強片を覆う挟持部が箱１０’に４つ設けられているが、本発明ではこれに限られず、１つでも本発明の効果を奏するものである。
【００８９】
＜第２実施形態の変形例＞
第２実施形態では、第１実施形態の変形例と同様に、図８に示すように、底板１１の有する４つの縁辺Ｌ１１、Ｌ２１、Ｌ１２、Ｌ２２において、第１縁辺Ｌ１１の長さ（または第３縁辺Ｌ１２の長さ）は、第２縁辺Ｌ２１の長さ（または第４縁辺Ｌ２２の長さ）よりも長く、箱１０’のブランク１０Ｂ’全体として縦長の略矩形状を呈している構成であるが、本発明ではこれに限られない。
【００９０】
例えば、第２実施形態の変形例では、第１実施形態の変形例と同様に、底板１１の有する４つの縁辺Ｌ１１、Ｌ２１、Ｌ１２、Ｌ２２において、第１縁辺Ｌ１１の長さ（または第３縁辺Ｌ１２の長さ）が、第２縁辺Ｌ２１の長さ（または第４縁辺Ｌ２２の長さ）よりも短く、箱１０’のブランク１０Ｂ’全体として横長の略矩形状を呈している構成であってもよい。この構成により、２層の側面（第２側板２２１および第１内板３１１、第４側板２２２および第２内板３１２）の長さが１層の側面（第２側板２２１’、第４側板２２２’）の長さより長くなるので、箱１０’の側面の強度を向上させることが可能となる。
【００９１】
＜第３実施形態＞
＜構成＞
本発明の第３実施形態では、箱の組み立てる際に、挟持部で補強板を覆うように固定することで、補強板をさらに補強する構成については第２実施形態と同様であるが、内板３１１、３１２の両側縁に嵌合用切り欠きを設け、内側挟持板７１１ａ’’、 ７１２ａ’’ 、 ７２１ａ’’ 、 ７２２ａ’’の先縁に当該嵌合用切り欠きに嵌合することが可能な嵌合突起を設けることで、箱の四隅においてロック機構を付与することを可能にしていることが、第２実施形態と異なる。また、本実施形態では、第２実施形態の変形例と同様に、全体として横長の略矩形状を呈している構成となっている。なお、第３実施形態の変形例では、第２実施形態と同様に、底板１１の有する４つの縁辺Ｌ１１、Ｌ２１、Ｌ１２、Ｌ２２において、第１縁辺Ｌ１１の長さ（または第３縁辺Ｌ１２の長さ）が、第２縁辺Ｌ２１の長さ（または第４縁辺Ｌ２２の長さ）よりも短く、箱１０’’のブランク１０Ｂ’’全体として縦長の略矩形状を呈している構成であってもよい。
【００９２】
本実施形態に係る箱１０’’を構成する各要素のうち、同様の機能を有するものについては、第１実施形態および第２実施形態と同一の符号を付してその説明を省略する。
【００９３】
図１３に本発明の第３実施形態に係る箱１０’’の斜視図を示し、図１４に本実施形態に係る箱１０’’を展開したブランク１０Ｂ’’の平面図を示す。
【００９４】
本実施形態に係る箱１０’’は、第２実施形態と同様に、略直方体形状を呈しており、図１３および図１４に示すように、第１縁辺Ｌ１１、第１縁辺Ｌ１１と交差する第２縁辺Ｌ２１、第３縁辺Ｌ１２、および第３縁辺Ｌ１２と交差する第４縁辺Ｌ２２を有する矩形の底板１１と、底板１１の第１縁辺から第４縁辺Ｌ１１、Ｌ２１、Ｌ１２、Ｌ２２からそれぞれ起立した第１側板から第４側板２１１、２２１、２１２、２２２と、第２側板２２１および第４側板２２２の先縁から底板１１に向けてそれぞれ折り曲げられ、第２側板２２１および第４側板２２２の内側にそれぞれ配置された第１内板３１１および第２内板３１２とを備えて構成される。また、箱１０’’は、第１内板３１１の両側縁Ｌ４１１およびＬ４１２からそれぞれ延び、第１側板２１１の内側に重ねるように配置された第１補強片４１１および第２補強片４１２と、第２内板３１２の両側縁Ｌ４２１およびＬ４２２からそれぞれ延び、第２側板２２１の内側に重ねるように配置された第３補強片４２１および第４補強片４２２とを備えて構成される。
【００９５】
本実施形態に係る箱１０’’は、図１３、図１４、および後述の図１８に示すように、第１および第２内板３１１、３１２の両側縁のうち第１および第２内板３１１、３１２の先縁側の部分には、第１から第４嵌合用切り欠き９１１ｎ、９１２ｎ、９２１ｎ、９２２ｎが設けられ、第１から第４内側挟持板７１１ａ’’、７１２ａ’’ 、 ７２１ａ’’ 、 ７２２ａ’’の先縁には、第１から第４嵌合用切り欠き９１１ｎ、９１２ｎ、９２１ｎ、９２２ｎに嵌合することが可能な第１から第４嵌合突起９１１ｐ、９１２ｐ、９２１ｐ、９２２ｐが設けられる。図１４に示すように、第１から第４嵌合用切り欠き９１１ｎ、９１２ｎ、９２１ｎ、９２２ｎと、第１から第４嵌合突起９１１ｐ、９１２ｐ、９２１ｐ、９２２ｐとの組み合わせによって、第１から第４ロック機構９１１、９１２、９２１、９２２をそれぞれ構成している。この構成により、箱１０’’の４つの角部の強度を高め、４つの角部における係合を外れにくくすることが可能となっている。なお、本発明では、上記ロック機構は少なくとも１つ設けられた構成も許容されるものであり、この構成であっても箱１０’’の角部における係合を外れにくくするという効果を得ることができる。
【００９６】
また、本実施形態に係る箱１０’’は、図１３、図１４、および後述の図１８に示すように、第１側板２１１は、箱１０’’の内側に向くように底板１１の第１縁辺Ｌ１１から斜めに起立している。具体的には、図１４に示すように、第２側板２２１の両縁辺Ｌ７１１’’およびＬ７１２’’が第２縁辺Ｌ２１に対して傾き、第４側板２２２の両縁辺Ｌ７２１’’およびＬ７２２’’が第４縁辺Ｌ２２に対して傾いている。この構成により、第１側板２１１および第３側板２１２が底板１１に対して同程度に斜め（箱１０’’に対して内方）に起立する構成になっている。この構成により、箱１０’’の積み重ねを安定させることが可能となる。この構成は、第１実施形態や第２実施形態にも適用可能である。
【００９７】
第１補強片４１１は、第９縁辺Ｌ４１１から延び、（その端縁Ｅ４１１が）第１側板２１１の内側に重なるように（または接触可能に）、箱１０’’の内側に折れ曲がっており、第２補強片４１２は、第１０縁辺Ｌ４１２から延び、（その端縁Ｅ４１２が）第３側板２１２の内側に重なるように（または接触可能に）、箱１０’’の内側に折れ曲がっている。また、第３補強片４２１は、第１１縁辺Ｌ４２１から延び、（その端縁Ｅ４２１が）第３側板２１２の内側に重なるように（または接触可能に）、箱１０’’の内側に折れ曲がっており、第４補強片４２２は、第１２縁辺Ｌ４２２から延び、（その端縁Ｅ４２２が）第１側板２１１の内側に重なるように（または接触可能に）、箱１０’’の内側に折れ曲がっている。
【００９８】
本発明では、第１９縁辺Ｌ７１１ａと第１８縁辺Ｌ７１１ｂとは相互に平行に並列しており、第２２縁辺Ｌ７１２ａおよび第２１縁辺Ｌ７１２ｂ、第２５縁辺Ｌ７２１ａおよび第２４縁辺Ｌ７２１ｂ、第２８縁辺Ｌ７２２ａおよび第２７縁辺Ｌ７２２ｂも同様に相互に平行に並列している。
【００９９】
本実施形態では、図１４に示すように、箱１０’’の第２側板２２１および第１内板３１１並びに第４側板２２２および第２内板３１２のそれぞれには、箱１０’’を積み重ねたときに、通気させることや、収容した物品を確認する等の目的で、円形の切り抜き穴ｐ２５、ｐ２６、ｐ３５、ｐ３６、ｐ２７、ｐ２８、ｐ３７、ｐ３８が設けられている。
【０１００】
＜箱のブランク＞
図１４に移り、本実施形態における箱１０’’のブランク１０Ｂ’’において、底板１１には、第２縁辺Ｌ２１に近接して第５係合穴ｈ５および第６係合穴ｈ６が設けられており、第４縁辺Ｌ２２に近接して第７係合穴ｈ７および第８係合穴ｈ８が設けられている。係合穴は切り抜きによって形成されうる。
【０１０１】
本実施形態では、略矩形状のブランク１０Ｂ’’に、第１切り込み線Ｃ１１および第５切り込み線Ｃ４１１、第２切り込み線Ｃ１２および第６切り込み線Ｃ４１２、第３切り込み線Ｃ２１および第７切り込み線Ｃ４２１、並びに第４切り込み線Ｃ２２および第８切り込み線Ｃ４２２を設けることで、略矩形状のブランク１０Ｂ’’の四隅付近に、第１被挟持片６１１および第１挟持部７１１’’、第２被挟持片６１２および第２挟持部７１２’’、第３被挟持片６２１および第３挟持部７２１’’、並びに第４被挟持片６２２および第４挟持部７２２’’がそれぞれ形成され、加えて、第１から第４挟持部７１１’’、７１２’’、７２１’’、７２２’’の第１から第４内側挟持板７１１ａ’’、７１２ａ’’、７２１ａ’’、７２２ａ’’に、第１から第４嵌合用切り欠き９１１ｎ、９１２ｎ、９２１ｎ、９２２ｎがそれぞれ形成され、第１内板３１１の先縁側の両側縁および第２内板３１２の先縁側の両側縁に、第１から第４嵌合突起９１１ｐ、９１２ｐ、９２１ｐ、９２２ｐがそれぞれ形成されることになる。
【０１０２】
本実施形態におけるブランク１０Ｂ’’では、第５折り曲げ線Ｌ２２１の長さが第２折り曲げ線Ｌ２１の長さよりも短く、第６折り曲げ線Ｌ２２２の長さが第４折り曲げ線Ｌ２２の長さよりも短くなっており、この構成により、第２側板２２１の両縁辺Ｌ７１１’’およびＬ７１２’’が第２縁辺Ｌ２１に対して傾き、第４側板２２２の両縁辺Ｌ７２１’’およびＬ７２２’’が第４縁辺Ｌ２２に対して傾いている。これにより、箱１０’’が組み立てられた状態において、第１側板２１１および第３側板２１２がそれぞれ、箱１０’’の内側に向くように底板１１の第１折り曲げ線Ｌ１１および第３折り曲げ線Ｌ１２から同程度に斜めに起立することになる。
【０１０３】
第１内板３１１の先縁には、第５係合穴ｈ５に嵌合することが可能な第５係合突起ｐ５と、第６係合穴ｈ６に嵌合することが可能な第６係合突起ｐ６とが設けられており、第２内板３１２の先縁には、第７係合穴ｈ７に嵌合することが可能な第７係合突起ｐ７と、第８係合穴ｈ８に嵌合することが可能な第８係合突起ｐ８とが設けられている。
【０１０４】
＜組み立て手順＞
図１５から図１８は、本実施形態に係る箱の組み立てる様子について説明するための図であって、図１５は、底板に対して４つの側面をそれぞれ起立させたときの箱の斜視図であり、図１６は、２つの内板を２つの側面に対して底板側にそれぞれ折り曲げ、４つの補強片を内側にそれぞれ折り曲げて、２つの内板の４つの係合突起を底板の４つの係合穴にそれぞれ嵌め込んだときの箱の斜視図であり、図１７は、２つの側面に対して４つの挟持部をそれぞれ折り曲げたときの箱の斜視図であり、図１８は、４つの挟持部のうち外側挟持板に対して内側挟持板を底板側に折り曲げたときの箱の斜視図である。
【０１０５】
図１５に示すように、底板１１に対して起立させるように第１側板２１１を折り返し、第１側板２１１の第１被挟持片６１１および第４被挟持片６２２を内側にそれぞれ折り返し、底板１１に対して起立させるように第３側板２１２を折り返し、第３側板２１２の第２被挟持片６１２および第３被挟持片６２１を内側にそれぞれ折り返す。そして、底板１１に対して起立させるように第２側板２２１および第４側板２２２を折り返すと、図１５に示す状態になる。
【０１０６】
次に、第２側板２２１から第１連結縁板５１を底板１１側に折り返し、第１連結縁板５１から第１内板３１１を底板１１側に折り返し、第１内板３１１の第５係合突起ｐ５および第６係合突起ｐ６を底板１１の第５係合穴ｈ５および第６係合穴ｈ６にそれぞれ嵌め込み、第４側板２２２から第２連結縁板５２を底板１１側に折り返し、第２連結縁板５２から第２内板３１２を底板１１側に折り返し、第２内板３１２の第７係合突起ｐ７および第８係合突起ｐ８を底板１１の第７係合穴ｈ７および第８係合穴ｈ８にそれぞれ嵌め込むと、図１６に示す状態になる。
【０１０７】
続いて、第２側板２２１から第１外側挟持板７１１ｂおよび第４外側挟持板７２２ｂを内側にそれぞれ折り返し、第４側板２２２から第２外側挟持板７１２ｂおよび第３外側挟持板７２１ｂを内側にそれぞれ折り返すと、図１７に示す状態になる。
【０１０８】
そして、第１外側挟持板７１１ｂから第１挟持縁板７１１ｃを底板１１側に折り返し、第１挟持縁板７１１ｃから第１内側挟持板７１１ａ’’を底板１１側に折り返し、第２外側挟持板７１２ｂから第２挟持縁板７１２ｃを底板１１側に折り返し、第２挟持縁板７１２ｃから第２内側挟持板７１２ａ’’を底板１１側に折り返し、第３外側挟持板７２１ｂから第３挟持縁板７２１ｃを底板１１側に折り返し、第３挟持縁板７２１ｃから第３内側挟持板７２１ａ’’を底板１１側に折り返し、第４外側挟持板７２２ｂから第４挟持縁板７２２ｃを底板１１側に折り返し、第４挟持縁板７２２ｃから第４内側挟持板７２２ａ’’を底板１１側に折り返すと、図１８に示す状態になる。
【０１０９】
その後、第１内側挟持板７１１ａ’’の第１嵌合突起９１１ｐを第１内板３１１の第１嵌合用切り欠き９１１ｎに嵌め込み、第２内側挟持板７１２ａ’’の第２嵌合突起９１２ｐを第１内板３１１の第２嵌合用切り欠き９１２ｎに嵌め込み、第３内側挟持板７２１ａ’’の第３嵌合突起９２１ｐを第２内板３１２の第３嵌合用切り欠き９２１ｎに嵌め込み、第４内側挟持板７２２ａ’’の第４嵌合突起９２２ｐを第２内板３１２の第４嵌合用切り欠き９２２ｎに嵌め込むと、図１３に示す箱１０’’になる。図１３に示す箱１０’’では、上述したように、第１内板３１１の両縁辺Ｌ７１１およびＬ７１２が第２縁辺Ｌ２１に対して傾き、第２内板３１２の両縁辺Ｌ７２１およびＬ７２２が第４縁辺Ｌ２２に対して傾いているので、第１側板２１１および第３側板２１２が底板１１に対して斜め（箱１０’’に対して内方）に起立する構成になっている。この構成により、箱１０’’の積み重ねを安定させることが可能となっている。
【０１１０】
図１９は、図１３のＸＩＸ−ＸＩＸ方向断面図であり、箱１０’’の第２挟持縁板７１２ｃ付近を破断した断面図である。図１９に示すように、第２内側挟持板７１２ａ’’の先縁から延出する第２嵌合突起９１２ｐが、第１内板３１１の下部（または第２補強片４１２の下部）に形成された第２嵌合用切り欠き９１２ｎに嵌め込まれている。
【０１１１】
本実施形態によれば、第２実施形態と同様に、第１内板３１１の第１補強片４１１および第４補強片４２２が、第１側板２１１および第３側板２１２の内側に重なるように配置され、第２内板３１２の第２補強片４１２および第３補強片４２１が、第１側板２１１および第３側板２１２の内側に重なるように配置されるので、重ね合わせられた部分の剛性が強化され、たとえ上に箱を積み重ねても、箱１０’’が変形しにくくなる結果、箱１０’’の係合が解除されにくくなり、収容された物品が汚損することを抑制することが可能となる。
【０１１２】
さらに、第２実施形態と同様に、第１挟持部から第４挟持部７１１’’、７１２’’、７２１’’、７２２’’が第１補強片から第４補強片４１１、４１２、４２１、４２２をそれぞれ覆うように配置されるので、その覆われた部分の剛性を強化することが可能となり、ひいては、箱１０’’の係合が解除されにくくすることが可能となる。
【０１１３】
また、第２実施形態と同様に、挟持縁板の面積が、第１実施形態よりも広くなっていることから、上に積み重ねる箱の底が接触する面積が増えるので、箱１０’’の係合部分に伝わる力が分散され、箱１０’’の係合を維持することが可能となる。
【０１１４】
加えて、第２実施形態と同様に、たとえ箱を積み重ねた際に下側の箱１０’’に対する上側の箱の位置がずれても、第１挟持縁板７１１ｃ、第２挟持縁板７１２ｃ、第３挟持縁板７２１ｃ、および第４挟持縁板７２２ｃの存在により、上述した落ち込みを抑制することが可能となる。本実施形態では、補強片を覆う挟持部が箱１０’’に４つ設けられているが、本発明ではこれに限られず、１つでも本発明の効果を奏するものである。
【０１１５】
また、本実施形態によれば、箱１０’’の４つの角部に第１から第４ロック機構９１１、９１２、９２１、９２２が設けられるので、箱１０’’の４つの角部の強度を高め、当該４つの角部における係合を外れにくくすることが可能となる。
【０１１６】
＜箱を積み重ねたときの落ち込み抑制＞
図２０は、箱を積み重ねたときの落ち込みが抑制されることを説明するための図であって、本発明の３つの実施形態に係る箱の角部付近を拡大した平面図であり、図２０（ａ）は、第１実施形態に係る箱１０につき第１補強片４１１が設けられた角部付近を示す図であり、図２０（ｂ）は、第２実施形態に係る箱１０’につき第１補強片４１１を覆う第１挟持部７１１’が設けられた角部付近を示す図であり、図２０（ｃ）は、第３実施形態に係る箱１０’’につき第１補強片４１１を覆う第１挟持部７１１’’が設けられた角部付近を示す図である。
【０１１７】
第１実施形態では、図２０（ａ）に示すように、第１補強片４１１が設けられていることから、第１補強片４１１が設けられていない箱と比較して、符号Ｒａで表される面積分、上に積み重ねる箱の底側と接触する面積が広がる結果、上に積み重ねる箱の角部の底側が下側の箱１０の角部から内側に落ち込むことを低減することが可能となっている。
【０１１８】
また、第２実施形態では、図２０（ｂ）に示すように、第１補強片４１１を覆う第１挟持部７１１’が設けられていることから、第１補強片４１１および第１補強片４１１を覆う第１挟持部７１１’が設けられていない箱と比較して、符号Ｒｂで表される面積分、上に積み重ねる箱の底側と接触する面積が広がる結果、上に積み重ねる箱の落ち込みを低減することが可能となっている。
【０１１９】
さらに、第３実施形態では、図２０（ｃ）に示すように、第１補強片４１１を覆う第１挟持部７１１’’が設けられていることから、第２実施形態と同様に、第１補強片４１１および第１補強片４１１を覆う第１挟持部７１１’’が設けられていない箱と比較して、符号Ｒｃで表される面積分、上に積み重ねる箱の底側と接触する面積が広がる結果、上に積み重ねる箱の落ち込みを低減することが可能となっている。
【０１２０】
第２実施形態および第３実施形態では、第１実施形態よりも、第１補強片４１１を覆っている分、第１挟持部の第１挟持縁板の表面積が広くなっており、符号Ｒｂで表される面積から上記の符号Ｒａで表される面積を引いた分（第３実施形態では、符号Ｒｃで表される面積から上記の符号Ｒａで表される面積を引いた分）、上に積み重ねる箱の底側と接触する面積が広がる結果、上に積み重ねる箱の落ち込みをさらに低減することが可能となっている。
【符号の説明】
【０１２１】
１０  箱
１０Ｂ  箱のブランク
１１  底板
２１１  第１側板
２２１  第２側板
２１２  第３側板
２２２  第４側板
３１１  第１内板
３１２  第２内板
４１１  第１補強片
４１２  第２補強片
４２１  第３補強片
４２２  第４補強片
５１  第１連結縁板
５２  第２連結縁板
６１１  第１被挟持片
６１２  第２被挟持片
６２１  第３被挟持片
６２２  第４被挟持片
７１１  第１挟持部
７１２  第２挟持部
７２１  第３挟持部
７２２  第４挟持部
７１１ａ  第１内側挟持板
７１２ａ  第２内側挟持板
７２１ａ  第３内側挟持板
７２２ａ  第４内側挟持板
７１１ｂ  第１外側挟持板
７１２ｂ  第２外側挟持板
７２１ｂ  第３外側挟持板
７２２ｂ  第４外側挟持板
７１１ｃ  第１挟持縁板
７１２ｃ  第２挟持縁板
７２１ｃ  第３挟持縁板
７２２ｃ  第４挟持縁板
Ｌ１１  第１縁辺（第１折り曲げ線）
Ｌ２１  第２縁辺（第２折り曲げ線）
Ｌ１２  第３縁辺（第３折り曲げ線）
Ｌ２２  第４縁辺（第４折り曲げ線）
Ｌ２２１  第５縁辺（第５折り曲げ線）
Ｌ２２２  第６縁辺（第６折り曲げ線）
Ｌ３１１  第７縁辺（第７折り曲げ線）
Ｌ３１２  第８縁辺（第８折り曲げ線）
Ｌ４１１  第９縁辺（第９折り曲げ線）
Ｌ４１２  第１０縁辺（第１０折り曲げ線）
Ｌ４２１  第１１縁辺（第１１折り曲げ線）
Ｌ４２２  第１２縁辺（第１２折り曲げ線）
Ｌ６１１  第１３縁辺（第１３折り曲げ線）
Ｌ６１２  第１４縁辺（第１４折り曲げ線）
Ｌ６２１  第１５縁辺（第１５折り曲げ線）
Ｌ６２２  第１６縁辺（第１６折り曲げ線）
Ｌ７１１  第１７縁辺（第１７折り曲げ線）
Ｌ７１１ｂ  第１８縁辺（第１８折り曲げ線）
Ｌ７１１ａ  第１９縁辺（第１９折り曲げ線）
Ｌ７１２  第２０縁辺（第２０折り曲げ線）
Ｌ７１２ｂ  第２１縁辺（第２１折り曲げ線）
Ｌ７１２ａ  第２２縁辺（第２２折り曲げ線）
Ｌ７２１  第２３縁辺（第２３折り曲げ線）
Ｌ７２１ｂ  第２４縁辺（第２４折り曲げ線）
Ｌ７２１ａ  第２５縁辺（第２５折り曲げ線）
Ｌ７２２  第２６縁辺（第２６折り曲げ線）
Ｌ７２２ｂ  第２７縁辺（第２７折り曲げ線）
Ｌ７２２ａ  第２８縁辺（第２８折り曲げ線）
ｈ１  第１係合穴
ｈ２  第２係合穴
ｈ３  第３係合穴
ｈ４  第４係合穴
ｈ５  第５係合穴
ｈ６  第６係合穴
ｈ７  第７係合穴
ｈ８  第８係合穴
ｐ１  第１係合突起
ｐ２  第２係合突起
ｐ３  第３係合突起
ｐ４  第４係合突起
ｐ５  第５係合突起
ｐ６  第６係合突起
ｐ７  第７係合突起
ｐ８  第８係合突起
【図１】
2020147371.tif 000003
【図２】
2020147371.tif 000004
【図３】
2020147371.tif 000005
【図４】
2020147371.tif 000006
【図５】
2020147371.tif 000007
【図６】
2020147371.tif 000008
【図７】
2020147371.tif 000009
【図８】
2020147371.tif 000010
【図９】
2020147371.tif 000011
【図１０】
2020147371.tif 000012
【図１１】
2020147371.tif 000013
【図１２】
2020147371.tif 000014
【図１３】
2020147371.tif 000015
【図１４】
2020147371.tif 000016
【図１５】
2020147371.tif 000017
【図１６】
2020147371.tif 000018
【図１７】
2020147371.tif 000019
【図１８】
2020147371.tif 000020
【図１９】
2020147371.tif 000021
【図２０】
2020147371.tif 000022